(57)【要約】【課題】外被を有する支持線の先端部をＵ字状に折り曲げ、Ｔ型端子で圧着してフックを形成する際に、支持線がフックの部分から抜け難くすることを特徴とする。【解決手段】外被を有する支持線２３の先端部をＵ字状に折り曲げてフック２５を形成し、このフック２５の根本をＴ型端子２４で圧着し、かつ支持線２３の端末の外被を剥ぎ、露出した撚鋼線２１を筒型の圧着端子２６で圧着した吊り下げ支持部１３を有する。【選択図】    図２
2004364386.tif 000002
【特許請求の範囲】
【請求項１】
複数本の情報ケーブルを束ねた情報通信幹線ケーブルと、
上記情報通信幹線ケーブルを吊り下げ支持する吊り下げ支持部とを具備し、
上記吊り下げ支持部は、外被を有する支持線の先端部をＵ字状に折り曲げてフックを形成し、このフックの根本を少なくとも１つのＴ型端子で圧着し、かつ上記支持線の端末の外被を剥ぎ、露出した支持線を筒型の圧着端子で圧着したことを特徴とする情報ブランチケーブル。
【請求項２】
前記フックの根本を前記Ｔ型端子で圧着する際に、この圧着箇所における前記外被を剥ぎ、露出した支持線を前記Ｔ型端子で圧着することを特徴とする請求項１記載の情報ブランチケーブル。
【請求項３】
前記フックの根本を２つのＴ型端子により勝手違い方向に圧着することを特徴とする請求項１記載の情報ブランチケーブル。
【発明の詳細な説明】
【０００１】
【発明の属する技術分野】
この発明は、ビル等の建物内で電話やインターネット等の情報ケーブルを配線する場合に使用される情報ブランチケーブルに関する。
【０００２】
【従来の技術】
複数階のビル等の建物内で、電話やインターネット等の情報ケーブルを配線する場合、複数本の情報ケーブルを束ねた情報通信幹線ケーブルの上端部に吊り下げ支持部を設けて情報ブランチケーブルを構成し、吊り下げ支持部を建物の上部に設けられた取り付け金具に吊り下げた状態とし、下端部の情報ケーブルを各階に配線するようにしている。
【０００３】
従来の情報ブランチケーブルでは、吊り下げ支持部として、支持線の先端部をＵ字状に折り曲げてフックを形成し、このフックの根本をＴ型端子で圧着する構造のものや、編組線を用いた構造のものが用いられている。
【０００４】
しかし、Ｔ型端子で圧着する構造の場合、自重に対する荷重強度が２倍程度しかなく、自重が大きくなるとフックの部分から支持線が抜け落ちてしまう欠点がある。
【０００５】
また、編組線を用いた構造のものは、構造上高価となる欠点がある。
【０００６】
なお、ビル等の建物内で使用される従来の情報ブランチケーブルとして、例えば特許文献１に記載されたものがある。
【０００７】
【特許文献１】
特開２００１−１４３５３６号公報
【０００８】
【発明が解決しようとする課題】
この発明は上記のような事情を考慮してなされたものであり、その目的は、安価でありがら、自重に対する荷重強度を向上させることができる情報ブランチケーブルを提供することである。
【０００９】
【課題を解決するための手段】
この発明の情報ブランチケーブルは、複数本の情報ケーブルを束ねた情報通信幹線ケーブルと、上記情報通信幹線ケーブルを吊り下げ支持する吊り下げ支持部とを具備し、上記吊り下げ支持部は、外被を有する支持線の先端部をＵ字状に折り曲げてフックを形成し、このフックの根本を少なくとも１つのＴ型端子で圧着し、かつ上記支持線の端末の外被を剥ぎ、露出した支持線を筒型の圧着端子で圧着することを特徴とする。
【００１０】
また、前記フックの根本を前記Ｔ型端子で圧着する際に、この圧着箇所における前記外被を剥ぎ、露出した支持線を前記Ｔ型端子で圧着するようにしてもよい。
【００１１】
さらに、前記フックの根本を２つのＴ型端子により勝手違い方向に圧着するようにしてもよい。
【００１２】
【発明の実施の形態】
以下、図面を参照してこの発明を実施の形態により詳細に説明する。
【００１３】
図１は、この発明の第１の実施の形態において、複数階のビル等の建物内で電話やインターネット等の情報ケーブルを配線する場合に使用される情報ブランチケーブルの構成を示している。この情報ブランチケーブルは、複数本の情報ケーブル１１を束ねた情報通信幹線ケーブル１２と、この情報通信幹線ケーブル１２の上端部に設けられた吊り下げ支持部１３とから構成されている。
【００１４】
上記吊り下げ支持部１３は、建物１４の上部に設けられた取り付け金具１５に吊り下げた状態とされ、下端部の情報ケーブル１１が各階で配線される。
【００１５】
図２は図１中の吊り下げ支持部１３の構成を示す側面図であり、図３は図２中のＡ−Ａ´線に沿った断面図である。吊り下げ支持部１３は、複数の鋼線（本例では７本）を撚って束ねた撚鋼線２１を外被２２で被覆した支持線２３の先端部をＵ字状に折り曲げ、その根本を２個のＴ型端子２４を用いて勝手違い方向に圧着してフック２５を形成し、さらに、支持線２３の端末の外被２２を剥ぎ、露出した撚鋼線２１を筒型の圧着端子２６で圧着することによって構成されている。
【００１６】
このような構成の吊り下げ支持部１３を有する情報ブランチケーブルでは、吊り下げ支持部１３を、建物１４の上部に設けられた取り付け金具１５に吊り下げた状態で使用するに際し、フック２５に荷重が加わると、支持線２３の端末に設けられた筒型の圧着端子２６がストッパの役割を果たし、支持線２３がＴ型端子２４の部分から抜け出し難くなる。
【００１７】
つまり、この実施の形態によれば、従来に比べて自重に対する荷重強度を向上させることができる。本発明者らの実験によれば、ケーブル自重に対して４倍以上の強度があることが確認されている。しかも、編組線を用いた構造のものよりも安価に製造することができる。
【００１８】
図４はこの発明の第２の実施の形態に係る図１中の吊り下げ支持部１３の構成を示す側面図であり、図５は図４中のＢ−Ｂ´線に沿った断面図である。なお、図４及び図５において、図２及び図３と対応する箇所には同じ符号を付してその説明は省略し、異なる点のみを以下に説明する。
【００１９】
この実施の形態における吊り下げ支持部１３では、前記フック２５の根本を２個のＴ型端子２４で圧着する場合に、この圧着箇所における前記外被２２を剥ぎ、露出した撚鋼線２１をＴ型端子２４で圧着することにより、自重に対する荷重強度をより向上させるようにしたものである。
【００２０】
この第２の実施の形態では、露出した撚鋼線２１をＴ型端子２４で圧着する際に、被覆を剥がした撚鋼線片２１ａを一対の撚鋼線２１間にサンドイッチした状態で圧着する場合を例示しているが、撚鋼線片２１ａは設けても設けなくてもどちらでもよい。
【００２１】
なお、この発明は上記各実施の形態に限定されるものではなく種々の変形が可能であることはうまでもない。例えば上記各実施の形態では、支持線２３が複数の鋼線を撚って束ねた撚鋼線２１を外被２２で被覆した構造のものである場合を説明したが、これは他の構造の支持線を用いるようにしてもよい。
【００２２】
【発明の効果】
以上説明したようにこの発明によれば、安価でありながら、自重に対する荷重強度を向上させることができる情報ブランチケーブルを提供することができる。
【図面の簡単な説明】
【図１】この発明の第１の実施の形態において、複数階のビル等の建物内で電話やインターネット等の情報ケーブルを配線する場合に使用される情報ブランチケーブルの構成を示す図。
【図２】図１中の吊り下げ支持部の構成を示す側面図。
【図３】図２の吊り下げ支持部の一部の断面図。
【図４】この発明の第２の実施の形態に係る情報ブランチケーブルにおける吊り下げ支持部の構成を示す側面図。
【図５】図４の吊り下げ支持部の一部の断面図。
【符号の説明】
１１…情報ケーブル、１２…情報通信幹線ケーブル、１３…吊り下げ支持部、１４…建物、１５…取り付け金具、２１…撚鋼線、２１ａ…撚鋼線片、２２…外被、２３…支持線、２４…Ｔ型端子、２５…フック、２６…筒型の圧着端子。
【図１】
2004364386.tif 000003
【図２】
2004364386.tif 000004
【図３】
2004364386.tif 000005
【図４】
2004364386.tif 000006
【図５】
2004364386.tif 000007